(57)【要約】【課題】イレーズパワー値は範囲を有しているので、同一のε値に対してイレーズパワー値が変化された場合，この変化に伴ってピークパワー値のレベル調整を行う必要があり、試し書きの試行ごとに前記レベル調整を行うとこのレベル調整する設定値のデータ量が増大すると共に、時間がかかる問題があった。【解決手段】イレーズパワー値を基にレベル調整してピークパワー値を設定し、イレーズパワー値の範囲内の所定の少なくとも３点の各イレーズパワー値に対応するレベル調整の各設定値をあらかじめ調整し、各イレーズパワー値とレベル調整の各設定値との関係を基に決定される計算式によりＤＣモニター出力に対応させてレベル調整の設定値を算出し、この算出された設定値によってピークパワー値を調整する。これにより各イレーズパワー値に対応するレベル調整の設定値があらかじめ調整される所定点以外は計算式により算出するようにしている。【選択図】  図１
2004178641.tif 000002
【特許請求の範囲】
【請求項１】
光学ヘッドのレーザー光源をイレーズパワー値のイレーズパワー信号とピークパワー値及びボトムパワー値間で振幅させたパルス状信号とのマルチパルス波形のレーザー駆動信号により駆動し、この駆動に応じて光学ヘッドから出射されるレーザービームを用いてディスクに信号記録を行う光ディスク記録装置であって、前記イレーズパワー値を基にレベル調整して前記ピークパワー値を設定し、ディスク記録に適用されるイレーズパワー値の範囲内の所定の少なくとも３点の各イレーズパワー値に対応する前記レベル調整の各設定値をあらかじめ調整し、前記各イレーズパワー値と前記レベル調整の各設定値との関係を基に決定される計算式によりＤＣモニター出力に対応させて前記レベル調整の設定値を算出し、この算出された設定値によってピークパワー値を調整し、ピークパワー値に対するイレーズパワー値の比率であるε値を調整することを特徴とする光ディスク記録装置。
【請求項２】
イレーズパワー値の範囲内における上限値、下限値及び中間値の３点に対応するレベル調整の各設定値をあらかじめ調整し、イレーズパワー値が前記下限値及び前記中間値の範囲であるときにはそれら下限値及び中間値とを直線で結んだ１次式の計算式により対応するレベル調整の設定値を算出し、イレーズパワー値が前記上限値及び前記中間値の範囲であるときにはそれら上限値及び中間値とを直線で結んだ１次式の計算式により対応するレベル調整の設定値を算出したことを特徴とする請求項１記載の光ディスク記録装置。
【請求項３】
光学ヘッドのレーザー出力を監視して得られるモニター出力を直流化したＤＣモニター出力値によって対応するイレーズパワー値を判断することを特徴とする請求項１、あるいは請求項２記載の光ディスク記録装置。
【請求項４】
前以って取得される２点の各イレーズパワー値に対応する各ＤＣモニター出力値を基に、イレーズパワー値の範囲内における上限値及び下限値に対応する各ＤＣモニター出力値を算出し、この算出された各ＤＣモニター出力値及び前以って取得されるＤＣモニター出力値に基にディスク記録に適用される所定のε値に対応する目標ＤＣモニター出力値を算出することを特徴とする請求項３記載の光ディスク記録装置。
【発明の詳細な説明】
【０００１】
【発明の属する技術分野】
本発明は、光学ヘッドからレーザービームを出射してディスクに信号記録を行う光ディスク記録装置に関し、特に、マルチパルス波形によるオーバーライト方式のディスク記録装置に関する。
【０００２】
【従来の技術】
光ディスク記録装置としては、ディスクへの上書きによる書き換えが可能なオーバーライト方式が存在し、ＣＤ（Ｃｏｍｐａｃｔ  Ｄｉｓｃ）方式のＣＤ−ＲＷ（ＲｅＷｒｉｔａｂｌｅ）ドライブが広く普及している。このようなオーバーライト方式の光ディスク記録装置は、光学ヘッドのレーザー光源をイレーズパワー値のイレーズパワー信号とピークパワー値及びボトムパワー値間で振幅させたパルス状信号とを合成した図２に示す如きマルチパルス波形のレーザー駆動信号で駆動し、この駆動に応じてレーザー光源からレーザービームを出射させてディスクに信号記録を行うようにしている。
【０００３】
このようなマルチパルス波形のレーザー駆動信号によりディスクに記録を行う光ディスク装置においては、イレーズパワー値、ピークパワー値及びボトムパワー値を正確に制御してディスクに高品質な記録マークを記録することが提案されている（例えば、特許文献１参照）。
【０００４】
【特許文献１】
特開２００１−３４９８７号公報
【０００５】
【発明が解決しようとする課題】
ところで、マルチパルス波形のレーザー駆動信号によりディスク記録を行う光ディスク装置においては、ピークパワー値Ｐｐに対するイレーズパワー値Ｐｅの比率（Ｐｅ／Ｐｐ）であるε値の調整が必要である。このε値はディスクに固有であると共に、記録速度によって決定される。
【０００６】
ＣＤ−ＲＷの場合、ε値は通常、ディスクの記録パワー調整領域（ＰＣＡ）に段階的に変化する複数のレーザー出力により試し書きする前に決定され、ディスクごとにウォブル（ｗｏｂｂｌｅ）のＡＴＩＰ（Ａｂｓｏｌｕｔｅ  Ｔｉｍｅ  Ｉｎ  Ｐｒｅ−ｇｒｏｏｖｅ）特別情報として記録されているので、この特別情報から推奨の値が抽出され、記録速度の兼ね合いで、ディスク記録に最適と思われる適切な値に設定される。因みにＣＤ−ＲＷの場合、ディスク固有のε値は０．２０〜０．６０である。
【０００７】
ところで、ディスク記録を行うマルチパルス波形のレーザー駆動信号を形成するのに、イレーズパワー値を基にピークパワー値を設定してイレーズパワー信号からピークパワー信号を生成する構成の光ディスク装置が存在している。
【０００８】
このような光ディスク装置においては、増幅器に入力するイレーズパワー信号の減衰量を調整して、あるいは増幅器の増幅率を調整してこの増幅器から出力されるピークパワー信号のピークパワー値をレベル調整する必要がある。
【０００９】
ＣＤ−ＲＷの場合、イレーズパワー値は４ｍＷ〜１０ｍＷと範囲を有している。その為、同一のε値に対してイレーズパワー値が変化された場合、この変化に伴ってピークパワー値を変化させる必要があり、ピークパワー値のレベル調整を行う必要がある。
【００１０】
ＰＣＡでの試し書き時には、異なる値の各イレーズパワー値に対応したマルチパルス波形のレーザー駆動信号によって何回もディスクに記録を行うので、試し書きの試行回数分ピークパワー値をレベル調整する設定値の変更が必要となる。
【００１１】
したがって、試し書きの試行回数分の各イレーズパワー値において、ピークパワー値をレベル調整する設定値を得るために試し書きの試行ごとに光学ヘッドのレーザー出力量を測定し、このレーザー出力量に基づいて所望のε値になるように各イレーズパワー値に対応するレベル調整する設定値を調整しておく必要があり、レベル調整する設定値のデータ量が増大すると共に、前記設定値を調整するのに時間がかかる問題があった。
【００１２】
【課題を解決するための手段】
本発明は、イレーズパワー値を基にレベル調整してピークパワー値を設定し、ディスク記録に適用されるイレーズパワー値の範囲内の所定の少なくとも３点の各イレーズパワー値に対応する前記レベル調整の各設定値をあらかじめ調整し、前記各イレーズパワー値と前記レベル調整の各設定値との関係を基に決定される計算式によりＤＣモニター出力に対応させて前記レベル調整の設定値を算出し、この算出された設定値によってピークパワー値を調整し、ピークパワー値に対するイレーズパワー値の比率であるε値を調整する。各イレーズパワー値に対応するレベル調整の設定値があらかじめ調整される所定点以外は計算式により算出するようにしているので、ピークパワー値をレベル調整する設定値を得るために試し書きの試行ごとに変化される各イレーズパワー値の全てに対して各イレーズパワー値に対応するレベル調整の設定値を得ておく必要がない。
【００１３】
【実施例】
図１は本発明に係る光ディスク記録装置の一実施例を示す回路ブロック図である。
【００１４】
光学ヘッドの光源となるレーザーダイオード１はレーザードライバ２により駆動され、ディスク（図示せず）に対して記録及び再生を行うためのレーザービームを出射する。
【００１５】
光学ヘッドにはレーザーダイオード１から出射されてディスクに導かれる光路途中で分離されるレーザービームを受光するフロントモニターダイオード３が備えられている。
【００１６】
フロントモニターダイオード３は受光されるレーザービームの光量に応じて受光電流が流れ、この受光電流に応じたモニター出力がローパスフィルタ（ＬＰＦ）４に供給され、このＬＰＦ４によりモニター出力が直流化（ＤＣ化）されてＤＣモニター出力となり、このＤＣモニター出力がＣＰＵ５に供給されてＣＰＵ５により測定される。
【００１７】
レーザードライバ２にはディスク再生時においてリード／ボトムパワー信号発生回路６から発生されるリードパワー信号が供給され、ディスク記録時においてリード／ボトムパワー信号発生回路６から発生されるボトムパワー信号と、イレーズパワー信号発生回路７から発生されるイレーズパワー信号と、イレーズパワー信号発生回路７から発生されるイレーズパワー信号をアッテネータ８により減衰させた後に増幅器９により増幅して得られるピークパワー信号とが合成されて生成されるマルチパルス波形信号が供給される。
【００１８】
ディスク記録時においてレーザードライバ２には前記マルチパルス波形信号が供給され、レーザードライバ２から発生されるマルチパルス波形のレーザー駆動信号は、図２に示すようにスペース記録を行うイレーズパワー信号の期間Ｅとピークパワー信号及びボトムパワー信号間で振幅されてマーク記録を行うパルス波形信号の期間Ｐとにより構成され、イレーズパワー信号、ピークパワー信号及びボトムパワー信号をそれぞれ選択的に供給させるスイッチ回路１０，１１，１２は、スペース及びマークを記録する期間に応じたマルチパルス波形となるようにエンコーダ１３によりディスク記録されるべくエンコードされたデータに対応して切り換えられる。尚、エンコーダ１３にはパソコンやデジタルソース機器等の上位機器から送信されるメインデータが入力される。
【００１９】
リード／ボトムパワー信号発生回路６には、スイッチ回路１４の切り換えによりＡＰＣ（Ａｕｔｏｍａｔｉｃ  Ｐｏｗｅｒ  Ｃｏｎｔｒｏｌ）回路１５からのＡＰＣ出力とＡＣＣ（Ａｕｔｏｍａｔｉｃ  Ｃｕｒｒｅｎｔ  Ｃｏｎｔｒｏｌ）回路１６からのＡＣＣ出力とのいずれかが選択的に入力される。
【００２０】
ＡＰＣ回路１５には、フロントモニターダイオード３に受光されるレーザービームの光量に応じたモニター出力をサンプル・ホールド回路（Ｓ／Ｈ回路）１７によりデコーダ（図示せず）によるデコード処理動作に関連付けられた適切なタイミングでサンプル・ホールドしたＳ／Ｈ電圧と、ＣＰＵ５に記憶されるデータをデジタル・アナログ変換回路（Ｄ／Ａ回路）１８によりデジタル・アナログ変換した基準電圧とが印加され、ＡＰＣ回路１５は、基準電圧に対する前記Ｓ／Ｈ電圧の差分電圧に対応してＡＰＣ出力を補正し、これによりフロントモニターダイオード３からのモニター出力をリードパワー値に対応する一定に制御するべくレーザーダイオード１の駆動を制御するＡＰＣ出力を発生する。
【００２１】
ディスク再生時において、スイッチ回路１４によりＡＰＣ回路１５からのＡＰＣ出力が選択され、ＣＰＵ５からＤ／Ａ回路１８に供給されるデータはレーザーダイオード１の駆動がディスク再生に適切なレーザー出力となるようにに設定されている。その為、リード／ボトムパワー信号発生回路６はレーザーダイオード１からのレーザー出力をディスク再生に適切な一定レベルに制御するべくレーザーダイオード１の駆動を制御するリードパワー信号を発生する。
【００２２】
一方、ディスク記録時において、スイッチ回路１４の切り換えによりＡＣＣ回路１６からのＡＣＣ出力が選択される。
【００２３】
ＡＣＣ回路１６にはＣＰＵ５に記憶されるデータをデジタル・アナログ変換回路（Ｄ／Ａ回路）１９によりデジタル・アナログ変換して発生されるＡＣＣ電圧が印加され、ＡＣＣ回路１６はこのＡＣＣ電圧を基に電流一定のＡＣＣ信号を発生する。
【００２４】
ＡＣＣ回路１６から発生されるＡＣＣ信号は、ディスク記録に用いられるマルチパルス波形のボトムパワー値を設定するようになっており、その為、リード／ボトムパワー信号発生回路６はレーザーダイオード１からのレーザー出力をマルチパルス波形のボトムパワー値に適切な一定レベルに制御するべくレーザーダイオード１の駆動を制御するボトムパワー信号を発生する。
【００２５】
イレーズパワー信号発生回路７にはＡＰＣ回路２０からのＡＰＣ出力が入力され、イレーズパワー信号発生回路７はレーザーダイオード１からのレーザー出力をマルチパルス波形のイレーズパワー値に適切な一定レベルに制御するべくレーザーダイオード１の駆動を制御するイレーズパワー信号を発生する。
【００２６】
ＡＰＣ回路２０には、フロントモニターダイオード３に受光されるレーザービームの光量に応じたモニター出力をサンプル・ホールド回路（Ｓ／Ｈ回路）２１によりイレーズパワー信号が発生されるタイミングでサンプル・ホールドしたＳ／Ｈ電圧と、ＣＰＵ５に記憶されるデータをデジタル・アナログ変換回路（Ｄ／Ａ回路）２２によりデジタル・アナログ変換した基準電圧とが印加され、ＡＰＣ回路２０は、基準電圧に対する前記Ｓ／Ｈ電圧の差分電圧に対応してＡＰＣ出力を補正し、これによりフロントモニターダイオード３からのモニター出力をイレーズパワー値に対応する一定に制御するべくレーザーダイオード１の駆動を制御するＡＰＣ出力を発生する。
【００２７】
このように構成される光ディスク装置において、ピークパワー値Ｐｐに対するイレーズパワー値Ｐｅの比率（Ｐｐ／Ｐｅ）であるε値の調整を行う場合について以下に説明する。
【００２８】
光ディスク装置の生産工程の検査時に、レーザーダイオード１を駆動していないアースレベルの０ｍＷ時とレーザーダイオード１にイレーズパワー値のディスク記録に適用される範囲の中間の７ｍＷ時とのそれぞれでフロントモニタダイオード３に発生されるモニター出力をＬＰＦ４により直流化した各ＤＣモニター出力を計測し、これらの各ＤＣモニター出力をデータ化した各ＤＣモニターデータをＣＰＵ５内のＥＥＰＲＯＭ（図示せず）に記憶させておく。
【００２９】
レーザーダイオード１を駆動するレーザー駆動信号出力とＤＣモニター出力との関係は直線的な比例関係にあるので、あらかじめＣＰＵ５内に記憶された０ｍＷ及び７ｍＷでの各ＤＣモニターデータに基づいてイレーズパワー値の範囲における下限値及び上限値の４ｍＷ及び１０ｍＷでの各ＤＣモニター出力を算出する。
【００３０】
ＰＣＡにおける試し書きの前に、ディスクのウォブルのＡＴＩＰ特別情報を読み取りディスク固有のε値を抽出する。
【００３１】
イレーズパワー値の範囲における下限値、中間値及び上限値の４ｍＷ、７ｍＷ及び１０ｍＷに対して抽出されたε値に対応する各目標ＤＣモニター出力を算出する。
【００３２】
記録ストラテジによって異なるが、実験に基づいて例えば数式１による演算で各目標ＤＣモニター出力が算出される。
【００３３】
【数式１】
2004178641.tif 000003
【００３４】
但し、ｘはε値を％に変換しており、ｙは目標ＤＣモニター出力Ｏｍである。
【００３５】
この場合、マルチパルス波形のレーザー駆動信号において、ε値は図３に示すとおり、ピークパワー値Ｐｐに対するイレーズパワー値Ｐｅの比率（Ｐｅ／Ｐｐ）であるので、マルチパルス波形信号をＬＰＦ４により直流化したＤＣモニター出力Ｏｍは図４に示す如く、ε値に対して２次式の関係になり、イレーズパワー値（７ｍＷ時を実線で示す）が変わることにより図示の如くε値に対するＤＣモニター出力Ｏｍが上下に推移する。尚、図３において、イレーズパワー値が一定である場合の各ε値（０．２〜０．６）のパルス波形を示している。
【００３６】
そして、実際にイレーズパワー値を下限値の４ｍＷ、中間値の７ｍＷ及び上限値の１０ｍＷにしてレーザーダイオード１を駆動し、各イレーズパワー値においてＬＰＦ４により出力されるＤＣモニター出力をＣＰＵ５内のアナログ・デジタル（Ａ／Ｄ）変換器２３によってデジタルのＤＣモニターデータに変換する。
【００３７】
この場合、レーザーダイオード１から出射されるレーザービームをディスク上に合焦させないようにフォーカスサーボを外しておいてディスクに記録が行われないようにする。
【００３８】
ＣＰＵ５内のＲＡＭ２４には各イレーズパワー値ごとに目標ＤＣモニター出力に対応する目標ＤＣモニターデータが記憶されており、デジタル変換されたＤＣモニターデータは対応するイレーズパワー値における前記目標ＤＣモニターデータ出力とＣＰＵ５内の比較器２５により比較される。
【００３９】
これによりＤＣモニター出力が目標ＤＣモニター出力に対して大きい値か小さい値かを判断し、この判断に応じてＣＰＵ５はアッテネータ８の減衰率を調整するべくこの減衰率を設定する設定信号を出力する。
【００４０】
そして、比較器２５による比較がＤＣモニター出力と目標ＤＣモニター出力との値が一致されるまで繰り返され、アッテネータ８の減衰率はＤＣモニター出力と目標ＤＣモニター出力とが一致された時点に調整される。このアッテネータ８の減衰率の調整は各イレーズパワー値ごとに行われ、調整が完了された減衰率に設定する設定信号のデータがＣＰＵ５内のＲＡＭ２４に記憶される。
【００４１】
すなわち、前記ＲＡＭ２４には、イレーズパワー値の下限値４ｍＷ、中間値７ｍＷ及び上限値１０ｍＷに対応する減衰率ＡＴＴ（４）、ＡＴＴ（７）及びＡＴＴ（１０）を設定する設定信号のデータがそれぞれ記憶される。
【００４２】
このようにして所定の一定のε値におけるイレーズパワー値の下限値４ｍＷ、中間値７ｍＷ及び上限値１０ｍＷに対する適切なアッテネータ８の減衰率が調整される。この３点のイレーズパワー値に対して設定されるアッテネータ８の減衰率から前記３点以外のイレーズパワー値に対する適切なアッテネータ８の減衰率は算出される。
【００４３】
イレーズパワー値に対して設定されるアッテネータ８の減衰率は、図５の一点鎖線に示す如く２次曲線となるが、図５の実線に示す如く、任意のイレーズパワー値Ｐｅ１が下限値４ｍＷ及び中間値７ｍＷの範囲であるときにはそれら下限値４ｍＷ及び中間値７ｍＷとを直線で結んだ１次の数式２の計算式により任意のイレーズパワー値Ｐｅ１に対応する減衰率ｙ１を直線近似により算出し、イレーズパワー値Ｐｅ２が中間値７ｍＷ及び上限値１０ｍＷの範囲であるときにはそれら中間値７ｍＷ及び上限値１０ｍＷとを直線で結んだ１次の数式３の計算式により任意のイレーズパワー値Ｐｅ２に対応する減衰率ｙ２を直線近似により算出する。
【００４４】
【数式２】
2004178641.tif 000004
【００４５】
【数式３】
2004178641.tif 000005
【００４６】
このようにして一定のε値において、イレーズパワー値の範囲における下限値、中間値及び上限値の４ｍＷ、７ｍＷ及び１０ｍＷの３点に対するアッテネータ８の減衰率から任意のイレーズパワー値に対応するアッテネータ８の減衰率が直線近似により算出される。
【００４７】
そして、所定のε値において、任意のイレーズパワー値に対応するアッテネータ８の減衰率が直線近似により算出される。
【００４８】
すなわち、ディスクからε値が得られると共に、記録速度が設定され、ディスク記録に適合するε値が決定されたら、この決定されたε値における任意のイレーズパワー値に対応するアッテネータ８の減衰率が設定され、増幅器９から出力されるピークパワー信号が決定されたε値に対応したピークパワー値となる。
【００４９】
したがって、決定されたε値に対応させて任意のイレーズパワー値におけるマルチパルス波形のレーザー駆動信号によりレーザーダイオード１を駆動してディスク記録を行うことが可能である。
【００５０】
この場合、ε値が決定したら、アッテネータ８の減衰率を調整するのに、レーザーダイオード１をマルチパルス波形のレーザー駆動信号に応じて駆動してフロントモニターダイオード３からのモニター出力を直流化したＤＣモニター出力を判定する機会は、イレーズパワー値の範囲における下限値、中間値及び上限値の４ｍＷ、７ｍＷ及び１０ｍＷの３点であり、この３点以外のイレーズパワー値においては計算式により算出されるので、アッテネータ８の減衰率の調整作業の高速化が図れ、また、ε値調整に用いられるデータを記憶するデータ量が削減される。
【００５１】
尚、上述した実施例においては、マルチパルス波形のピークパワー値を設定がアッテネータ８の減衰率の調整により行われるが、これに限らず増幅器９の増幅率の調整によって行うことも可能であり、請求項におけるレベル調整とはこれらの減衰率の調整及び増幅率の調整を含むものである。
【００５２】
また、上述した実施例において、イレーズパワー値の範囲における中間値はイレーズパワー値の範囲における下限値及び上限値の４ｍＷ及び１０ｍＷの正確に中央の７ｍＷとなっているが、正確に中央である必要はなく、６ｍＷや８ｍＷであっても良い。
【００５３】
【発明の効果】
以上のとおり、本発明は、ε値が決定したら、ディスク記録に適用されるイレーズパワー値の範囲内の所定の少なくとも３点でピークパワー値を設定するレベル調整の設定値を調整し、この調整した点以外のイレーズパワー値に対応するレベル調整の設定値を計算式により算出することが出来、ε値調整に用いられるデータを記憶するデータ量を削減することが出来る。
【００５４】
また、光学ヘッドのレーザー出力を監視して得られるモニター出力を直流化したＤＣモニター出力を判定する機会が、レベル調整の設定値を調整する回数に伴って減少させることが出来、レベル調整の設定値の調整作業の高速化が図れる。
【００５５】
また、所定のε値において、任意のイレーズパワー値に対応するレベル調整の設定値を直線近似により算出するようにしているので、前記レベル調整の設定値を算出するのに簡単な計算式を採用することが出来、設計が容易である。
【図面の簡単な説明】
【図１】本発明に係る光ディスク記録装置の一実施例を示す回路ブロック図である。
【図２】光学ヘッドのレーザー光源を駆動するマルチパルス波形のレーザー駆動信号を示す波形図である。
【図３】ε値を説明する説明図である。
【図４】ε値とＤＣモニター出力との関係を示す図である。
【図５】イレーズパワー値に対して設定されるアッテネータ８の減衰率を示す図である。
【符号の説明】
１          レーザーダイオード
２          レーザードライバ
３          フロントモニターダイオード
４          ローパスフィルタ
５          ＣＰＵ
６          リード／ボトムパワー信号発生回路
７          イレーズパワー信号発生回路
８          アッテネータ
９          増幅器
１３          エンコーダ
１５，２０          ＡＰＣ回路
１６          ＡＣＣ回路
【図１】
2004178641.tif 000006
【図２】
2004178641.tif 000007
【図３】
2004178641.tif 000008
【図４】
2004178641.tif 000009
【図５】
2004178641.tif 000010